(57)【要約】      （修正有）【課題】応答メッセージの編集中をメッセージ送信元が知ることができるようにする。【解決手段】情報処理装置は、メッセージの送受信部と、送受信部で受信された受信メッセージに対する応答メッセージの編集中であることを示す「編集中」メッセージを受信メッセージの送信元に送信する制御部とを含む。このような「編集中」通知、すなわち「編集中」メッセージの送信方法として、例えば、電子メール，又はショートメッセージを適用することができる。或いは、相手先の端末への発呼信号に「編集中」メッセージを付加して発信することもできる。送信される「編集中」メッセージは、メッセージの内容自体（例えば、テキスト，イメージ，ビデオ）であっても良く、コード内容から受信側がメッセージを再生可能なメッセージの識別コードであっても良い。【選択図】図２
2010211587.tif 000002
【特許請求の範囲】
【請求項１】
メッセージの送受信部と、
前記送受信部で受信された受信メッセージに対する応答メッセージの編集中であることを示す「編集中」メッセージを前記受信メッセージの送信元へ送信する制御部と
を含む情報処理装置。
【請求項２】
前記制御部は、前記応答メッセージが編集されている間、前記「編集中」メッセージを周期的に前記送信元へ送信する
請求項１に記載の情報処理装置。
【請求項３】
前記「編集中」メッセージが受信された場合に、前記「編集中」メッセージに基づいて応答メッセージの編集中であることを報知する報知制御部
をさらに含む請求項１に記載の情報処理装置。
【請求項４】
メッセージの送受信部と、
前記送受信部からの送信メッセージの送信後に受信される「編集中」メッセージに基づいて、前記送信メッセージの送信先が応答メッセージを編集中であることを報知する報知制御部と
を含む情報処理装置。
【請求項５】
前記報知制御部は、前記送信元から周期的に前記「編集中」メッセージを受信する
請求項４に記載の情報処理装置。
【発明の詳細な説明】
【技術分野】
【０００１】
本発明は、メッセージを送受信する情報処理装置に関する。
【背景技術】
【０００２】
従来、電子メール（以下、単に「メール」と表記する）の送受信機能を備えた情報処理装置がある。そのような情報処理装置は、例えば、パーソナルコンピュータ（ＰＣ），ＰＤＡ(Personal Digital Assistants)，携帯電話である。
【０００３】
パーソナルコンピュータの分野では、メールの送信先でメールが読まれた場合に、当該メールの送信元に対し、当該メールが読まれたことを示す既読メールを送信するメーラがあった。メーラとは、メールの作成や送受信、受信されたメールの保存・管理を行うソフトウェアである。
【先行技術文献】
【特許文献】
【０００４】
【特許文献１】特開２００３−４４４１６号公報
【発明の概要】
【発明が解決しようとする課題】
【０００５】
上述した従来技術では、既読メールの受信によってメールの送信元がメールの送信先で当該メールが読まれたことを知ることができる。しかしながら、送信元は、既読メールから、送信先が当該メールに対する応答メールを編集中か否かを知ることができなかった。
【０００６】
本発明の一態様の目的は、メールの送信先が応答メールを編集中か否かをメールの送信元が知ることができる情報処理装置を提供することである。
【課題を解決するための手段】
【０００７】
本発明の態様の一つは、情報処理装置であって、電子メールの送受信部と、
前記送受信部で受信された電子メールに対する返信メールの編集中に、返信メールの編集中であることを示すメッセージを前記送受信部を介して当該電子メールの送信元に送信する制御部とを含む。
【発明の効果】
【０００８】
本発明の一態様によれば、メールの送信先が応答メールを編集中か否かをメールの送信元が知ることができる。
【図面の簡単な説明】
【０００９】
【図１】情報処理装置の第１実施形態の構成例を示す図である。
【図２】情報処理装置の第１実施形態の構成例を示す図である。
【図３Ａ】メールの送信元の情報処理装置で実行されるメール送信時の処理を示すフローチャートである。
【図３Ｂ】図３Ａに図示した送信メール編集処理の例を示すフローチャートである。
【図３Ｃ】図３Ａに図示したメール送信処理の例を示すフローチャートである。
【図３Ｄ】図３Ａに示した「編集中」通知チェック処理の例を示すフローチャートである。
【図３Ｅ】図３Ａに示した送信メールリスト及び「編集中」表示処理を示すフローチャートである。
【図４Ａ】メールの送信先の情報処理装置で実行されるメール受信時の処理を示すフローチャートである。
【図４Ｂ】図４Ａに示した「編集中」通知（通知メール）の送信処理の例を示すフローチャートである。
【図４Ｃ】図４Ａに示した応答メール編集処理の例を示すフローチャートである。
【図５】第１実施形態の動作例の説明図である。
【図６】受信メールリストのデータ構造例を示す図である。
【図７】「編集中」通知の電子メールの例を示す。
【図８】情報処理装置の第２実施形態としての携帯電話端末の構成例を示す図である。
【図９】第２実施形態におけるメールの送信元の携帯電話端末で実行されるメール送信時の処理を示すフローチャートである。
【図１０】第２実施形態における「編集中」通知（通知メッセージ）の送信処理の例を示すフローチャートである。
【発明を実施するための形態】
【００１０】
以下、本発明の実施形態について説明する。下記の実施形態の構成は例示であり、本発明は、実施形態の構成に限定されない。
【００１１】
情報処理装置の実施形態は、情報処理装置間でメッセージを送受信する。メッセージの形式は、例えば、電子メール又はショートメッセージである。但し、本発明は、電子メール又はショートメッセージ以外のメッセージ交換形式についても適用が可能である。
【００１２】
また、情報処理装置の実施形態では、メッセージの送信先は、メッセージ送信元に対し、応答メッセージの「編集中」であることを示す「編集中」通知を送信する。このような「編集中」通知、すなわち「編集中」メッセージの送信方法として、例えば、電子メール，又はショートメッセージを適用することができる。或いは、相手先の端末への発呼信号に「編集中」メッセージを付加して発信することもできる。送信される「編集中」メッセージは、メッセージの内容自体（例えば、テキスト，イメージ，ビデオ）であっても良く、コード内容から受信側がメッセージを再生可能なメッセージの識別コードであっても良い。
【００１３】
＜第１実施形態＞
＜＜情報処理装置の構成＞＞
図１は、情報処理装置の第１実施形態を示す。情報処理装置１０は、例えば、携帯電話，ＰＣ，ＰＤＡ，カーナビゲーション装置のような、電子メール（以下、単に「メール」という）の送受信機能を有する様々な電子機器である。
【００１４】
図１において、情報処理装置１０は、入力装置１と、出力装置２と、記憶装置３と、無線部４と、これらの入力装置１，出力装置２，記憶装置３，及び無線部４と接続されたプロセッサ（すなわち、演算処理装置）５とを備えている。無線部４には、送受信アンテナ６が接続されている。
【００１５】
入力装置１は、複数のキー及びボタン（以下、キー及びボタンを区別しない場合には、単に「キー」と表記）を含む。複数のキーは、データや情報の入力キー，カーソルキー，決定キー（すなわち、エンターキー）のような様々なキーを含む。入力装置１は、複数のキーの他、マウスのようなポインティングデバイスを含むことができる。
【００１６】
出力装置２は、表示装置２Ａとスピーカ２Ｂとを含む。表示装置２Ａは、例えば、ＬＣＤ（液晶ディスプレイ）ＣＲＴ（陰極線管）であり、プロセッサ５によるプログラムの実
行結果に基づく情報やデータを表示する。スピーカ２Ｂは、音声を出力する。
【００１７】
記憶装置３は、主記憶装置及び二次記憶装置を含むコンピュータ読み取り可能な記録媒体である。主記憶装置は、例えば、メモリと呼ばれるＲＡＭ(Random Access Memory)や、ＲＯＭ（Read Only Memory）を備える。また、記憶装置３は、二次記憶装置として、例えば、ＨＤＤ（hard disc drive），EPROM（Erasable Programmable ROM）の少なくとも一
つを含むことができる。さらに、記憶装置３は、二次記憶装置として、ＣＤ（Compact Disc）やＤＶＤ（Digital Versatile Disc）のような可搬性を有するディスク記録媒体の駆動装置を含むことができる。二次記憶装置として、可搬性を有する記録媒体であるＵＳＢ（Universal Serial Bus）メモリが適用されることが可能である。
【００１８】
記憶装置３には、オペレーティングシステム（ＯＳ）及び複数のアプリケーションプログラムが格納（インストール）されている。また、記憶装置３には、プログラムの実行に際して使用されるデータが格納されている。複数のアプリケーションプログラムは、情報処理装置１０を電子メール装置として機能させるためのプログラム，例えば、電子メールの送信，受信，保存，管理などを行う電子メール用プログラム（メーラと呼ばれる）を含んでいる。
【００１９】
無線部４は、プロセッサ５によって生成されたデータ信号（電気信号）を無線信号に変調して送受信アンテナ６から送信する。また、無線部４は、送受信アンテナ６から受信された無線信号をデータ信号（電気信号）に復調してプロセッサ５に渡す。
【００２０】
なお、図１に示す情報処理装置１０は、無線部４を用いた無線通信により基地局Ｂ１（図２）を介してネットワークＮ（図２）との接続を行い、電子メールの送受信を行う。もっとも、情報処理装置１０が、ＬＡＮ（Local Area Network）インタフェースのような通信インタフェース装置を備え、通信ケーブルを介してネットワークと接続され、電子メールを送受信するようにしても良い。
【００２１】
プロセッサ５は、例えば、ＣＰＵ（Central Processing Unit）又はＤＳＰ（Data Signal Processor）のようなプロセッサ装置である。プロセッサ５は、図示しない複数の入出力ユニット（Ｉ／Ｏユニット）を介して入力装置１，出力装置２，記憶装置３及び無線部４と接続されている。
【００２２】
プロセッサ５は、記憶装置３に格納（インストール）された様々なプログラムを記憶装置３のメモリ（ＲＡＭ）にロードして実行することを通じて入力装置１，出力装置２，記憶装置３及び無線部４の動作を制御する。これによって、所定の目的に合致した機能が実現される。ここでは、情報処理装置１０は、プロセッサ５によるプログラムの実行を通じて、電子メールの送受信及び管理を行う電子メール装置として機能する。
【００２３】
図２は、プロセッサ５が記憶装置３にインストールされた少なくとも１つのプログラムを実行することによって実現される電子メール装置としての機能を模式的に示す図である。
【００２４】
プロセッサ５によるプログラムの実行を通じて、図２に示すような、呼制御部１１，無線制御部１２，メール送受信部１３，メール管理部１４，制御部１５，出力制御部１６，及び入力制御部１７が実現される。
【００２５】
また、プログラムの実行によって、記憶装置３の記憶領域上には、メールデータベース（メールＤＢ）１８が作成される。メールＤＢ１８は、送受信された電子メール，受信メール一覧（受信メールリスト）１８Ａ，送信メール一覧（送信メールリスト）１８Ｂを保
存・管理するためのデータベースである。
【００２６】
無線制御部１２は、無線部４の制御を通じてネットワークＮ上の基地局Ｂ１との間で無線通信用のパスを確立する。呼制御部１１は、ネットワークＮに接続されたメールサーバＭ１とパケット通信用の呼接続を行う。
【００２７】
メール送受信部１３は、メール送受信処理を行う。すなわち、メール送受信部１３は、メール送信要求に応じて送信対象のメールをＳＭＴＰ（Simple Mail Transfer Protocol
）のような送信用プロトコルを用いてメールサーバＭ１にアップロードする処理、すなわち、メール送信処理を行う。また、メール送受信部１３は、メール受信要求、又は自動メール受信設定に従って、メールサーバＭ１のメールボックスに到着したメールをＰＯＰ（Post Office Protocol）のような受信用プロトコルを用いてダウンロードする処理、すなわちメール受信処理を行う。
【００２８】
メール管理部１４は、メールＤＢ１８へのメールの登録及び管理を行う。情報処理装置１０から送信された送信メールのリスト、すなわち送信メールリスト１８Ｂを作成してメールＤＢ１８に格納する。また、メール管理部１４は、メールＤＢ１８に格納された受信メールのリスト、すなわち受信メールリスト１８Ａを作成してメールＤＢ１８に格納する。
【００２９】
さらに、メール管理部１４は、リスト表示要求に応じて、メールＤＢ１８から受信メールリスト１８Ａ又は送信メールリスト１８Ｂを読み出して出力制御部１６に渡す。受信メールリスト１８Ａ又は送信メールリスト１８Ｂは、出力制御部１６によって表示装置２Ａのスクリーン上で表示される。リスト表示要求は、受信メールリスト１８Ａの表示を要求する受信リスト表示要求，又は、送信メールリスト１８Ｂの表示を要求する送信リスト表示要求である。
【００３０】
制御部１５は、メールを編集（作成）するための処理を中心とした、メールに関する様々な処理を司る。例えば、制御部１５は、入力制御部１７からのメール表示要求に応じて、メールＤＢ１８から受信メール又は送信メールをメール管理部１４を介して読み出し、出力制御部１６に渡す。出力制御部１６は、受信メール又は送信メールを表示装置２Ａのスクリーンに表示する。メール表示要求は、受信メールの表示を要求する受信メール表示要求，又は、送信メールの表示を要求する送信メール表示要求である。
【００３１】
また、制御部１５は、例えば、入力制御部１７からのメール編集要求に応じて、出力制御部１６に対し、表示装置２Ａのスクリーン上に編集用画面を表示することを指示する。メール編集要求は、受信メールに対する返信メールを編集（作成）するための返信メール編集要求と、受信メール又は送信メールに対する転送メールを編集（作成）するための転送メール編集要求と、新規の送信メールを編集（作成）するための新規メール編集要求とを含む。制御部１５は、出力制御部１６及び入力制御部１７との連携において、情報処理装置１０のユーザに対してメールの作成環境を提供する。また、制御部１５は、編集が終了した送信メール（返信メール，転送メール，又は新規メール）の送信をメール送受信部１３に指示する。
【００３２】
さらに、制御部１５は、返信メール編集要求を受け取った場合に、返信メールの宛先、すなわち返信メールに対応する受信メールの送信元へ、返信メールが編集中であることを示すメッセージを周期的に送信する処理（メッセージ送信処理）を行う。
【００３３】
出力制御部１６は、メール管理部１４，制御部１５，入力制御部１７からの指示に応じた情報及びデータを含む画面データを作成し、表示装置２Ａのスクリーンに表示する制御
を行う。例えば、出力制御部１６は、受信メールリスト画面，送信メールリスト画面，編集用画面，メール表示画面のような様々な表示画面データを作成し、表示画面データに基づく表示内容を表示装置２Ａのスクリーンに表示する。また、出力制御部１６は、入力装置１から入力された文字，図形，記号のようなデータを入力制御部１７からの指示に応じてスクリーンに表示する。さらに、出力制御部１６は、記憶装置３に予め格納された音声データに基づく音声再生処理を行い、再生音声をスピーカ２Ｂから出力する。
【００３４】
入力制御部１７は、入力装置１から入力された様々な要求を、メール管理部１４，制御部１５に送る。また、入力制御部１７は、入力装置１から入力されたデータの表示要求を出力制御部１６に送る。さらに、入力制御部１７は、表示装置２Ａの表示内容に応じて、入力装置１が備える複数のキーに対する機能割り当てを変更することができる。
【００３５】
以上のような様々な機能が実現されることによって、情報処理装置１０は、ネットワークＮを介して、他の情報処理装置２０とメールを送受信することができる。
【００３６】
＜＜動作例＞＞
次に、上述した電子メール装置として機能する情報処理装置１０の動作例として、電子メールの送信時及び受信時における処理について説明する。動作例として、情報処理装置２０がメールを送信し、情報処理装置１０が情報処理装置２０からのメールを受信する場合における情報処理装置１０及び２０の動作について説明する。ここに、情報処理装置２０は、図１及び図２に示した情報処理装置１０と同様の構成を備えている。
【００３７】
図３Ａは、動作例における情報処理装置２０、すなわちメールの送信元の全体的な処理例を示すフローチャートである。図４Ａは、動作例における情報処理装置１０、すなわちメールの送信先の全体的な処理例を示すフローチャートである。また、図５は、動作例の説明図である。
【００３８】
＜＜メール送信元での処理＞＞
図３Ａに示すフローチャートは、例えば、情報処理装置２０のユーザＡが情報処理装置２０の入力装置１からメール編集要求を入力することによって開始する。なお、図３Ａの処理において、メール送受信部１４は、メールサーバＭ１のメールボックスに到着したメールを受信メールとして随時ダウンロード（受信）する自動メール受信設定状態である。
【００３９】
図３ＡのステップＳ００１では、メール編集要求に従った送信メール編集処理が行われる。図３Ｂは、送信メール編集処理の例を示すフローチャートである。図３Ｂにおいて、制御部１５は、出力制御部１６に対し、送信メールの編集用画面の表示指示を発行する。この表示指示に従って、出力制御部１６は、編集用画面を表示装置２Ａに表示する（ステップＳ０１１）。このとき、制御部１５は、編集用画面に対し、送信元メールアドレスすなわちユーザＡのメールアドレスを組み込む。
【００４０】
編集用画面は、例えば、送信先メールアドレス、すなわち情報処理装置１０のユーザであるユーザＢのメールアドレスの入力画面又は入力欄、メールの題名（subject）の入力
画面又は入力欄、及びメール本文の入力画面又は入力欄を含む。
【００４１】
制御部１５は、入力制御部１６に対して、編集用キーの割り当て指示を与える（ステップＳ０１２）。入力制御部１６は、割り当て指示に従って、所定の複数のキーを、メール送信キー（すなわち編集終了キー），文字入力キー，キャンセルキーとして割り当てる。
【００４２】
入力制御部１７は、文字入力キーを通じて入力される送信先メールアドレス，メールの題名，及びメール本文の文字入力を待ち受ける（ステップＳ０１３）。文字が入力された
場合（Ｓ０１３；ＹＥＳ）には、入力制御部１６は、入力結果を出力制御部１６に渡し、出力制御部１６は、表示装置２Ａの制御を通じて入力結果を表示装置２Ａの表示内容に反映する（ステップＳ０１４）。図５には、編集用画面１０１が例示されている。編集用画面１０１には、ユーザＡによって入力された送信先メールアドレス，メールの題名，及びメール本文が表示される。
【００４３】
文字入力が行われる毎に、制御部１５は、メール送信キー１０２（図５）が押されたか否かを判定する（ステップＳ０１５）。このとき、メール送信キー１０２が押された場合（Ｓ０１５；ＹＥＳ）には、送信メール編集処理が終了し、処理が図３ＡのステップＳ００２に進む。これに対し、メール送信キー１０２が押されていない場合（Ｓ０１５；ＮＯ）には、処理がステップＳ０１３に戻る。
【００４４】
ステップＳ０１３〜Ｓ０１５のループ処理において、表示装置２Ａ上の編集用画面１０１には、ユーザＡによって入力された送信先メールアドレス，メールの題名及びメール本文が表示される。例えば、図５に示すように、編集用画面１０１には、例えば、送信先メールアドレス（“Ａ”）、送信元メールアドレス（“Ｂ”），メールの題名（“please send answers”），及びメール本文（"Hello…"）が表示される。編集終了時点での編集用画面１０１は、編集内容確認画面として機能する。
【００４５】
送信メールの編集が終了した時点で、ユーザＡがメール送信キー１０２を押すと、ステップＳ０１５で“ＹＥＳ”の判定が行われ、送信メール編集処理が終了し、処理がステップＳ００２（図３）に進む。
【００４６】
ステップＳ００２では、メール送信処理が実行される。図３Ｃは、メール送信処理の例を示すフローチャートである。メール送信キー１０２が押されると、入力制御部１７は、制御部１５にメール送信要求を与える。制御部１５は、メール送信要求を受け取ると、編集されたメール、すなわち送信メールデータをメール送受信部１３に渡す。
【００４７】
メール送受信部１３は、送信メールデータに対し、メールの識別情報、すなわちメールＩＤを付与する（ステップＳ０２１）。メールＩＤは、メール番号とも呼ばれる。
【００４８】
続いて、メール送受信部１３は、無線制御部１２に対し、無線路の確立要求を発行する。無線制御部１４は、無線部４を制御して、情報処理装置２０の通信エリア内にある基地局Ｂ１との無線路を確立する（ステップＳ０２２）。
【００４９】
また、メール送受信部１３は、呼制御部１１に、呼確立要求を発行する。呼制御部１１は、メール送信用のパケット呼をネットワークＮ上のメールサーバＭ１との間で確立する（ステップＳ０２３）。
【００５０】
パケット呼が確立されると、メール送受信部１３は、送信メールを送信する（ステップＳ０２４）。すなわち、メール送受信部１３は、メールＩＤを含む送信メールデータを含む１以上のパケットを生成する。１以上のパケットは、無線部４，及び送信アンテナ６を経て送信され、基地局Ｂ１で受信される。その後、１以上のパケットは、ネットワークＮを経てメールサーバＭ１に到着する。１以上のパケットから送信メールデータが組み立てられる。このようにして、送信メールデータ，すなわち送信メールがメールサーバＭ１に送信される。
【００５１】
その後、メールサーバＭ１に到着した送信メールは、送信先メールアドレス“Ａ”に従ってネットワークＮ内を転送され、最終的にユーザＢのメールサーバＭ２のメールボックス内に到着する。
【００５２】
メール送受信部１３によるメール送信が完了すると、送信メール登録処理が行われる。制御部１５は、メール送受信部１３によるメール送信が完了すると、メール管理部１４に対し、送信メール登録要求を発行する。メール管理部１４は、送信メール登録要求に従って、送信メールをメールＤＢ１８に格納する。また、メール管理部１４は、送信メールをメールＤＢ１８中の送信メールリスト１８Ｂに登録する。送信メール及び送信メールリスト１８Ｂに登録された送信メールは、送信メールに付与されたメールＩＤで管理（識別）される。ステップＳ０２５の処理が終了すると、メール送信処理が終了し、処理がステップＳ００３（図３Ａ）に進む。
【００５３】
メール送信処理（Ｓ００２）が完了すると、制御部１５は、メールの送信先からの「編集中（editing）」通知を待つための第１のタイマの計時をスタートする（ステップＳ０
０３）。第１のタイマの計時時間は適宜設定可能である。
【００５４】
第１のタイマの計時が終了すると（Ｓ００３；終了）、制御部１５は、第１のタイマの計時時間中に送信元からの「編集中」通知がメール送受信部１３によって受信されているか否かを判定する（ステップＳ００４）。
【００５５】
ステップＳ００４にて「編集中」通知が受信されていない場合（Ｓ００４；通知なし）には、メール送信時におけるメールの送信元の処理が終了する。これに対し、「編集中」通知が受信されている場合（Ｓ００４；通知あり）には、処理がステップＳ００５に進む。
【００５６】
図３Ｄは、ステップＳ００３及びＳ００４の処理（「「編集中」通知チェック処理」と称する）の詳細を例示するフローチャートである。図３Ｄにおいて、制御部１５は、例えば、メール送受信部１３によるメール送信が完了した時点で、制御部１５が有する第１のタイマを起動する（ステップＳ０３１）。第１のタイマは、送信メールの送信先からの１回目の「編集中」通知を待ち受けるためのタイマである。
【００５７】
メール送受信部１３は、自動メール受信設定に従ってメールサーバＭ１にアクセスし、メールボックスに受信メールがあるか否かを判定する（ステップＳ０３２）。このとき、受信メールがない場合（Ｓ０３２；ＮＯ）には、処理がステップＳ０３６に進む。
【００５８】
これに対し、受信メールがある場合（Ｓ０３２；ＹＥＳ）には、メール送受信部１３は、メールサーバＭ１から受信メールを受信して制御部１５に渡す。制御部１５は、受信メールが「編集中」通知のメール（以下、通知メールと呼ぶ）であるか否かを判定する（ステップＳ０３３）。
【００５９】
「編集中」通知は、送信メールの送信先が送信メールに対する応答メールの編集中であることを示す通知である。通知メールは送信メールの送信先から送信される。通知メールは、特殊コードを含んでいる。制御部１５は、受信メール中に、通知メールであることを示す特殊コードが含まれているか否かを判定することによって、受信メールが通知メールか否かを判定することができる。特殊コードとして、例えば、送信メールのメールＩＤが使用される。送信メールのメールＩＤは、通知メールの識別情報として利用されるとともに、対応する送信メールを特定するために使用される。
【００６０】
受信メールが通知メールでない場合、すなわち、受信メールが送信メールのメールＩＤを含んでいない場合（Ｓ０３３；ＮＯ）には、制御部３５は後述する通知フラグをオフにすることを決定し（ステップＳ０３４）、処理をステップＳ０３６に進める。
【００６１】
これに対し、受信メールが通知メールである場合、すなわち、受信メールが送信メールのメールＩＤを含んでいる場合（Ｓ０３３；ＹＥＳ）には、制御部１５は、通知フラグをオンにすることを決定し（ステップＳ０３５）、処理をステップＳ０３６に進める。
【００６２】
ステップＳ０３６では、受信メール登録処理が実行される。すなわち、制御部１５は、受信メールと、通信フラグのオン／オフの決定結果とをメール管理部１４に通知する。メール管理部１４は、受信メールをメールＤＢ１８に登録するとともに、受信メールリスト１８Ａに登録する。
【００６３】
図６は、受信メールリスト１８Ａのデータ構造例を示す。図６に示すように、受信メールリスト１８Ａは、当該リストに登録された受信メール毎のレコードを有する。レコードは、受信メールのメールＩＤ，送信元メールアドレス，メールの題名，通知フラグ，受信時刻（タイムスタンプ）を含む。レコードは、送信先メールアドレスを含むこともできる。
【００６４】
メール管理部１４は、受信メールリスト１８Ａ上に受信メールの新たなレコードを作成し、メールＩＤ，送信元メールアドレス，メールの題名，受信時刻を登録する。このとき、メール管理部１４は、通知フラグのオン／オフの決定結果に従って、新たなレコードに対し、通信フラグの状態、すなわちオン（“１”）又はオフ（“０”）を設定する。通信フラグがオンにされる場合には、フラグ値が送信メールのメールＩＤの値に設定される。これに対し、通知フラグがオフに設定される場合には、フラグ値がオフを示す値、例えばオールゼロが設定される。
【００６５】
受信メールリスト１８Ａに登録された受信メールは、メールＩＤで特定される。また、受信メールのレコード中の通知フラグのオン又はオフによって、受信メールが通知メールか否かを識別することができる。なお、受信メールリスト１８Ａに登録された通知メールは、通知フラグに基づき、表示装置２Ａに表示されないようにすることができる。
【００６６】
なお、送信メールリスト１８Ｂのデータ構造は、上述した通知フラグを格納しない点を除き、受信メールリスト１８Ａと同じデータ構造を採用することができる。このため、送信メールリスト１８Ｂの図示は省略する。
【００６７】
通知フラグの設定が済むと、メール管理部１４は、制御部１５に対し、受信メール登録完了を通知する。すると、制御部１５は、第１のタイマが満了したか否かを判定する（ステップＳ０３７）。
【００６８】
第１のタイマが満了していなければ（Ｓ０３７；ＮＯ）、処理がステップＳ０３３に戻る。これに対し、第１のタイマが満了していれば（Ｓ０３７；ＹＥＳ）、編集処理部１５が、メール管理部１４に受信メールリスト１８Ａ（図６）の読み出し指示を与える。メール管理部１４は、制御部１５からの指示に基づいて、メールＤＢ１８から受信メールリスト１８Ａ（図６）を読み出し、制御部１５に与える（ステップＳ０３８）。
【００６９】
制御部１５は、受信メールリスト１８Ａ中に通知メールがあるか否かを判定する（ステップＳ０３９）。すなわち、制御部１５は、受信時刻が第１のタイマの開始時刻と満了時刻との間にあり、且つ通知フラグがオンであるという条件を満たすレコードを検索する。このような条件を満たすレコードは、通知メールのレコードである。
【００７０】
通知メールのレコードが見つかった場合には（Ｓ０３９；ＹＥＳ）、制御部１５は、第２のタイマを起動する（ステップＳ０４０）。第２のタイマは、送信メールの送信先から周期的に送信される通知メールを待ち受けるためのタイマ、すなわち通知メールの周期監
視タイマである。第２のタイマ（周期監視タイマ）の計時時間は、例えば、数十秒〜数分であり、例えば３０秒である。第２のタイマの計時時間は、上記した第１のタイマと同じであっても良く、異なっていても良い。例えば、第１のタイマは、送信メールが送信先に到着するまでの時間を考慮して、第２のタイマの計時時間よりも長く設定される。
【００７１】
ステップＳ０４０の処理が終了すると、「編集中」通知チェック処理が終了し、処理がステップＳ００５（図３Ａ）に進む。これに対し、通知メールのレコードが見つからなかった場合（Ｓ０３９；ＮＯ）には、「編集中」通知チェック処理が終了し、送信元での処理も終了する。
【００７２】
図３ＡのステップＳ００５へ処理が進んだ場合には、送信メール一覧の自動表示処理が実行されるとともに、「編集中」表示処理（ステップＳ００６）が実行される。図３Ｅは、送信メールリスト自動表示処理（Ｓ００５）及び「編集中」表示処理（Ｓ００６）の例を示すフローチャートである。ステップＳ００５及びＳ００６の処理をまとめて「送信メールリスト及び「編集中」表示処理」と呼ぶ。ステップＳ００５及びＳ００６において、制御部１５は報知制御部として機能する。
【００７３】
ステップＳ０３９（Ｓ００４）にて、通知メールのレコードが見つかった場合には、制御部１５は、そのレコード中の通知フラグ値を抽出する（ステップＳ０４１）。次に、制御部１５は、メール管理部１４に対し、送信メールリスト１８Ｂの読み出し指示を与える。メール管理部１４は、送信メールリスト１８ＢをメールＤＢ１８から読み出して制御部１５に与える（ステップＳ０４２）。
【００７４】
制御部１５は、ステップＳ０４１で抽出した通知フラグ値と同一のメールＩＤを有する送信メールリスト１８Ｂ中の送信メールレコードを特定する（ステップＳ０４３）。制御部１５は、制御部１５は、出力制御部１６に対し、送信メールリスト１８Ｂの表示指示とともに、特定された送信メールを特別表示することを指示する（ステップＳ０４４）。このとき、制御部１５は、送信メールリスト１８Ｂと、特定した送信メールのレコードの情報とを出力制御部１６に与える。
【００７５】
出力制御部１６は、表示装置２Ａを制御して送信メールリスト１８Ｂを表示装置２Ａに表示する（ステップＳ０４５、Ｓ００５に対応）。表示装置２Ａには、送信メールリスト１８Ｂとして、例えば、送信メールの送信先メールアドレス及びメールの題名を含むレコードが送信メール毎に表示される。
【００７６】
このとき、通知メールに対応する送信メールのレコードは、特別表示指示に応じた出力制御部１６での画像処理によって、他の送信メールのレコードと異なる特別な表示態様で表示される（ステップＳ０４６、Ｓ００６に対応）。
【００７７】
図５には、送信メールリスト１８Ｂの表示画面１０３が例示されている。通知メールに対応する送信メールに関して、例えば、送信先メールアドレスの近傍に、応答メールの「編集中」であることを示すアイコン又はシンボル（図５中では“＊”）が表示される。アイコン又はシンボルは点灯表示又は点滅表示が可能である。
【００７８】
或いは、当該送信メールを示す文字が強調文字で表示されることができる。或いは、当該送信メールを示す文字が斜体文字で表示されることができる。或いは、当該送信メールのレコードがハイライトや反転表示のような際だつ態様で表示されることができる。或いは、当該送信メールのレコードが異なる色で表示されることができる。
【００７９】
ステップＳ０４６の処理が終了すると、処理がステップＳ００７（図３Ａ）に進む。ス
テップＳ００７では、制御部１５は、第２のタイマが満了したか否かを判定する。第２のタイマが満了していない場合（Ｓ００７；ＮＯ）には、制御部１５は、第２のタイマが満了するのを待つ。第２のタイマが満了した場合（Ｓ００７；ＹＥＳ）には、処理がステップＳ００４に戻り、通知メールが第２のタイマの計時時間内に新たに受信されたか否かが判定される。具体的には、処理が図３ＤのステップＳ０３８へ戻り、通知メールの有無に応じたステップＳ０３９〜Ｓ０４１の処理が行われる。
【００８０】
このようにして、メールの送信元の情報処理装置２０では、メールを送信すると、その送信メールの送信先が応答メールの編集中であることを示す「編集中」通知、すなわち通知メールを周期的に受信する。「編集中」通知が受信されると、その送信メールは、送信メールリスト１８Ｂにおいて、特別な表示態様で表示される。これによって、情報処理装置２０のユーザＡは、送信先が応答メールの編集中であることを認識することができる。
【００８１】
なお、上述した処理例では、ステップＳ００５及びＳ００６の処理によって送信メールリスト画面１０３（図５）が表示されると、ステップＳ００４で“ＮＯ”の判定が行われるまで、送信メールリスト画面１０３の表示が継続される。もっとも、ステップＳ００６の処理が終了してから所定時間が経過すると、送信メールリスト１８Ａの表示が解除されるようにしても良い。この場合、周期的に送信メールリスト画面１０３が表示される。
【００８２】
図３Ａ〜図３Ｅに図示した処理が終了すると、表示装置２Ａにおける送信メールリスト１８Ｂの表示がキャンセルされる。この場合、二つのケースが想定される。ケースの一つは、応答メールの送信先から送信された場合である。この場合には、図３Ａ〜図３Ｅに図示した処理が終了してからまもなく、応答メールがメールサーバＭＳ１に到着する。
【００８３】
すると、メール送受信部１３が応答メールをメールサーバＭＳ１から自動的にダウンロードする。メール受信に応じて、制御部１５は、出力制御部１６の制御を通じて、表示装置２Ａに応答メールの受信を報知する表示を出力したり、スピーカ２Ｂから応答メールの受信を示す音声を出力したりする。これによって、情報処理装置２０のユーザＡは、応答メールの受信を知ることができる。
【００８４】
図３Ａ〜図３Ｅの処理が終了するもう一つのケースは、送信メールの送信先で応答メールの編集がキャンセルされた場合である。この場合、応答メールはメールサーバＭＳ１に到着しないので、応答メールの自動受信は行われない。よって、ユーザＡは、送信メールリスト１８Ｂの表示がキャンセルされてからしばらくたっても応答メールが受信されない場合に、応答メールの編集がキャンセルされたことを推測することができる。
【００８５】
なお、送信メールリスト１８Ｂの表示の代わりに、又は当該表示に加えて、スピーカ２Ｂから音声を出力することで、ユーザに「編集中」を知らせることができる。また、情報処理装置２０（１０）がバイブレータを搭載している場合には、音声出力の代わりに、又は音声出力に加えて、バイブレータによる振動を発生させることができる。
【００８６】
また、上述したメール送信元の処理は、編集対象のメールが、新規メール，転送メール，及び返信メールすなわち応答メールのいずれであっても同様に実行される。但し、上記した新規メール，転送メール，及び返信メールから選択される少なくとも１つに対して、図３Ａ〜図３Ｅに示したフローチャートが実行されるようにすることができる。
【００８７】
＜＜メール送信先での処理＞＞
図４Ａに示すフローチャートは、図３ＡのステップＳ００２（Ｓ０２４）で送信された送信メールを、情報処理装置１０のメール送受信部１３（図２）がメールサーバＭＳ２（図２）から受信することによって開始される。
【００８８】
例えば、情報処理装置１０のメール送受信部１３は、自動メール受信設定に従って、メールアドレス“Ｂ”のメールボックスを保管するメールサーバＭ２にアクセスし、メールボックス中のメールをダウンロードする。これによって、情報処理装置１０は、ユーザＡ，すなわち情報処理装置２０からの送信メールを受信することができる。なお、メール受信に際して、無線制御部１２による無線路確立処理、及び呼制御部１１によるパケット呼確立処理が実行される。
【００８９】
メール送受信部１３は、受信された送信メール、すなわち受信メールを制御部１５に与える。制御部１５は、メール管理部１４に、受信メールの登録指示を与える。メール管理部１４は、受信メールをメールＤＢ１８に格納するとともに、受信メールリスト１８Ａ（図６）に登録する（受信メール登録処理、ステップＳ１０１）。
【００９０】
次に、制御部１５は、受信メールリスト表示処理を実行する（ステップＳ１０２）。すなわち、制御部１５は、受信メールリスト１８Ａの読み出し指示をメール管理部１４に指示する。メール管理部１４は、受信メールリスト１８ＡをメールＤＢ１８から読み出して制御部１４に与える。制御部１５は、受信メールリスト１８Ａを出力制御部１６に与える。出力制御部１６は、受信メールリスト１８Ａの表示画面、すなわち受信メールリスト画面１０４（図５）を表示装置２Ａに表示する。
【００９１】
図５に示すように、受信メールリスト画面１０４では、受信メールの送信元アドレス及びメールの題名が受信メール毎に表示される。このとき、未読状態の受信メールは、既読メールと異なる態様で表示される。
【００９２】
ユーザＢは、カーソルキー操作によって、受信メールリスト１８Ａからメールを選択することができる。或る受信メールが受信メールリスト画面１０４から選択された状態で、ユーザＢが表示キー１０５を押すことで、選択された受信メールを表示装置２Ａに呼び出すことができる。
【００９３】
すなわち、表示キー１０５が押されると、受信メール内容表示処理が実行される（ステップＳ１０３）。すなわち、制御部１５は、選択された受信メールのメールＩＤを有する受信メールを、メール管理部１４を介してメールＤＢ１８から取得する。制御部１５は、当該受信メールを出力制御部１６に与える。出力制御部１６は、当該受信メールの表示画面、すなわち受信メール画面を表示装置２Ａに表示する。図５に示すように、受信メール画面１０６には、送信先メールアドレス“Ａ”，送信元メールアドレス“Ｂ”，メールの題名，及びメール本文が表示される。
【００９４】
ユーザＢは、受信メール画面１０６に表示された受信メールを読み、応答メールを直ちに編集及び送信するか否かを判断する。応答メールを直ちに編集する場合には、返信キー１０７を押すことで、応答メール編集要求を入力することができる。なお、応答メールを直ちに編集しない場合には、キャンセルキー（図示せず）を押すことで、受信メール画面１０６の表示がキャンセルされる。
【００９５】
受信メール画面１０６が表示されると、制御部１５は、受信メール画面１０６に対する入力装置１からの入力を待ち、入力制御部１７を介して通知される入力が応答メール編集要求か否かを判定する（ステップＳ１０４）。入力が応答メール編集要求でない場合、例えば、キャンセルキーが押された場合（Ｓ１０４；ＮＯ）には、メール送信先の処理が終了する。
【００９６】
これに対し、入力が応答メール編集要求である場合（Ｓ１０４；ＹＥＳ）には、制御部
１５は、メールの送信先、すなわちユーザＢが応答メールを編集中であることを示す「編集中」通知のメール、すなわち通知メールの送信処理を実行する（ステップＳ１０５）。
【００９７】
図４Ｂは、通知メール送信処理（Ｓ１０５）の例を示すフローチャートである。応答メール編集要求を受け取った制御部１５は、情報処理装置１０の内部処理として通知メールを作成する。すなわち、通知メールの送信先メールアドレスとして受信メールの送信元メールアドレス“Ａ”を設定する（ステップＳ１１１）。さらに、制御部１５は、通知メールに対し、通知メール自体のメールＩＤを付加し（ステップＳ１１２）、当該メールが通知メールであることを示す特殊コードとして、受信メールのメールＩＤを付加する（ステップＳ１１３）。さらに、選択的なステップとして、制御部１５は、ユーザＢのメールアドレス“Ｂ”を送信元メールアドレスとして設定する（ステップＳ１１４）。
【００９８】
図７は、通知メール、すなわち「編集中」通知メッセージの例を模式的に示す図である。
図７に示すように、通知メールには、メールＩＤ"XXXXXXX"，特殊コード（受信メールの
メールＩＤ）"YYYYYYYY"，送信先メールアドレス“Ａ”，送信元メールアドレス“Ｂ”を含む。送信元メールアドレスはオプションであり、省略可能である。また、通知メールの題名及び本文に対する記載はない。しかし、予め指定された文字列を題名又は本文として追加することができる。
【００９９】
制御部１５は、通知メールの作成を完了すると、通知メールの送信をメール送受信部１３に指示する。メール送受信部１３は、ステップＳ００２（図３Ａ，図３Ｃ）と同様の手法で通知メールを送信する（ステップＳ１１５）。これによって、通知メール、すなわち「編集中」通知メッセージが、受信メールの送信元である情報処理装置２０へネットワークＮを介して送信される。
【０１００】
ステップＳ１１５の処理が終了すると、編集制御部１５は、周期監視タイマＴ（後述）が起動中か否かを判定する（ステップＳ１１６）。周期監視タイマＴが起動中でなければ（Ｓ１１６；ＮＯ）、通知メール送信処理が終了し、処理がステップＳ１０６（図４Ａ）へ進む。これに対し、周期監視タイマＴが起動中であれば（Ｓ１１６；ＹＥＳ）、処理が図４ＣのステップＳ１２４へ進む。
【０１０１】
ステップＳ１０６では、応答メールの編集処理が実行される。図４Ｃは、応答メール編集処理の例を示すフローチャートである。図４Ｃにおいて、制御部１５は、制御部１５が有するタイマＴ（図５参照）を起動する（ステップＳ１２１）。
【０１０２】
タイマＴは、通知メールの送信周期を監視するためのタイマ（周期監視タイマ）である。タイマＴの計時時間は、例えば数十秒〜数分であり、例えば３０秒である。タイマＴの計時時間は、通知メールの送信先における第２のタイマの計時時間を考慮し、両者が同期するように計時時間が決定されることができる。
【０１０３】
次に、制御部１５は、応答メールの編集用画面の表示処理を行う（ステップＳ１２２）。ステップＳ１２２の処理は、図３Ｂに示したステップＳ０１１の編集用画面表示処理とほぼ同様であるので、詳細な説明は省略する。但し、表示装置２Ａに表示される応答メール用の編集用画面では、送信先メールアドレスの入力欄に受信メールの送信元アドレスが予め記載される。また、メールの題名の入力欄に、受信メールの題名に応答メールであることを示す文字列、例えば“Ｒｅ：”が追加された文字列が予め記載される。さらに、メールの本文の記載欄に受信メールの本文の記載内容が予め記載される。ユーザＡは、受信メール本文の記載を引用して応答メールの本文を作成することができる。
【０１０４】
ステップＳ１２３〜Ｓ１２５の処理は、図３Ｂに示したＳ０１２〜Ｓ０１４の処理と同様であるので、説明を省略する。ステップＳ１２３〜Ｓ１２５によって、ユーザＡの入力内容が表示内容に反映される。ステップＳ１２５が終了すると、処理が図４ＡのステップＳ１０７に進む。
【０１０５】
ステップＳ１０７では、ステップＳ１２１で起動したタイマＴが満了したか否かを制御部１５が判定する。このとき、タイマＴが満了していない場合（Ｓ１０７；ＮＯ）には、制御部１５は、タイマＴが満了するのを待つ。タイマＴが満了すると（Ｓ１０７；ＹＥＳ）、制御部１５は、応答メールの編集が完了したか否かを判定する（ステップＳ１０８）。
【０１０６】
応答メールの編集は、編集用画面１０８に対して送信キー１０２が押された場合に完了する。制御部１５は、送信キー１０２が押されたことが入力制御部１７から通知されると、応答メールの編集が完了したと判定し（Ｓ１０８；ＹＥＳ）、編集用画面１０８の表示内容を含む応答メールの送信指示をメール送信部１３に与える。
【０１０７】
メール送信部１３は、応答メールの送信処理を行う（ステップＳ１０９）。ステップＳ１０９の処理は、ステップＳ００２のメール送信処理（図３Ａ，図３Ｂ）と同じであるので説明を省略する。応答メールの送信処理が終了すると、図４Ａに図示するメールの送信先の処理が終了する。
【０１０８】
これに対し、ステップＳ１０８において、制御部１５は、応答メール編集のキャンセルキーが押されたことが入力制御部１７から通知されると、応答メール編集がキャンセルされたと判定し（Ｓ１０８；キャンセル）、メールの送信先の処理を終了する。
【０１０９】
これに対し、ステップＳ１０８において、制御部１５は、送信キー及びキャンセルキーが押されたことが入力制御部１７から通知されない場合には、応答メールの編集が完了していないと判定し（Ｓ１０８；ＮＯ）、処理をステップＳ１０５（図４Ｂ）に戻し、周期的な通知メールの送信を行う。このようにして、応答メール編集が開始されてから送信キー又はキャンセルキーが押されるまでの期間において、周期監視タイマＴが満了する毎に、通知メールが送信される。
【０１１０】
以上説明した送信先の処理によれば、応答メールの編集が決定された場合に、送信先が応答メールの編集中であることを示す通知メールが作成され、受信メールの送信元に送信（返信）される。通知メールは、タイマＴによる監視周期で、応答メールの編集が完了又はキャンセルされるまでの間、継続的に送信される。これによって、受信メールの送信元、すなわちユーザＡは、上述した送信メールリスト１８Ｂ上の特別表示から、ユーザＢが応答メールを編集中であることを容易に知ることができる。
【０１１１】
情報処理装置１０が携帯電話やスマートフォンのような可搬性を有する小型端末装置である場合には、キー又はボタン数の制約，キー又はボタンの大きさなどが要因となって、文書編集環境がＰＣに比べて劣る。このため、応答メールの作成に要する時間が、ＰＣを利用する場合に比べて長い。従って、メールを送信したユーザＡが、メールの送信先であるすなわちユーザＢが応答メールを編集しているか否かを判断することは容易でない。
【０１１２】
上述した実施形態によれば、ユーザＡは、メールを送信してから短い期間中に、ユーザＢが応答メールを編集しているか否かを通知メールにより知ることができる。これによって、ユーザＢが応答メールを編集しているにもかかわらず、ユーザＡが再度のメール作成及び送信を行ったり、ユーザＢに電話をかけたりすることを防止することができる。従って、ユーザＡ及びユーザＢが無駄な作業を行うことを防止することができる。
【０１１３】
なお、上述した第１の実施形態では、「編集中」通知の伝達手段として電子メールを利用する例を説明した。これに代えて、情報処理装置１０及び２０がショートメッセージサービス（ＳＭＳ）をサポートしているのであれば、「編集中」通知をショートメッセージで伝達することが可能である。
【０１１４】
＜第２実施形態＞
次に、情報処理装置の第２実施形態について説明する。第２実施形態は、第１実施形態との共通点を含むので、共通点については説明を省略し、主として相違点について説明する。
【０１１５】
第２実施形態は、メールを送受信する情報処理装置同士が携帯電話端末である場合について説明する。送信メールに対する応答メールを送信すべき携帯電話端末は、「編集中」通知の伝達手段として、「編集中」通知のメッセージが付加された発呼信号を送信メールの送信元の携帯電話端末に送信する。
【０１１６】
なお、テキストメッセージを含む発呼信号を送信先に送り、送信先の携帯情報端末で着信報知とともに表示装置にメッセージを表示するサービスは、例えば、株式会社エヌ・ティ・ティ・ドコモが「着もじ」サービスとして実施されている。以下、このようなサービスを本明細書中において「メッセージ付加サービス」と称する。
【０１１７】
図８は、情報処理装置、すなわち携帯電話端末の構成例を示す。図８において、携帯電話端末３０は、図２に示した情報処理装置２０と以下の点で異なっている。
【０１１８】
携帯電話端末３０のプロセッサ５は、プログラムの実行によって、着信文字制御部２１を実現する。また、記憶装置３の記憶領域には、電話帳２２が格納される。電話帳２２には、メールアドレスに対応する電話番号が登録されている。
【０１１９】
以下、動作例として、図８に示したユーザＡの携帯電話端末４０が、ユーザＢの携帯電話端末３０にメールを送信した場合について説明する。携帯電話端末４０は、図８に示した携帯電話端末３０と同様の構成及び機能を有する。
【０１２０】
図９は、メールの送信元の携帯電話端末におけるフローチャートである。図９に示す処理は、携帯電話端末４０で実行される。図９に示す処理のうち、ステップＳ００１及びＳ００２の処理は、第１実施形態と同じである（図３Ａ，図３Ｂ，図３Ｃ）ので説明を省略する。
【０１２１】
その後、ステップＳ２０１において、呼制御部１１が、携帯電話端末３０からの発呼信号を受信する。すなわち、携帯電話端末３０からの発呼信号、すなわち信号“SETUP”が
携帯電話端末４０に着信する。
【０１２２】
着信文字制御部２１は、発呼信号に含まれているテキストメッセージデータを取得し、出力制御部１６に与える（ステップＳ２０２）。また、出力制御部１６は、発呼信号の着信に基づく着信音指示を例えば呼制御部１１から受け取る。
【０１２３】
出力制御部１６は、スピーカ２Ｂから着信音を出力させるとともに、表示装置２Ａに、テキストメッセージデータに基づくメッセージ、例えば「応答メール編集中」、又は「ＸＸ秒間応答メール編集中」との所定のメッセージを表示する（ステップＳ２０３）。
【０１２４】
着信文字制御部２１は、出力制御部１６から「編集中」メッセージの表示処理が完了し
たことを示す通知を受け取る。すると、着信文字制御部２１は、呼切断指示を呼制御部１１に与える。呼制御部１１は、例えば、信号CLEARのような通話の切断又は解放する信号
を携帯電話端末３０へ向けて送信する（ステップＳ２０４）。なお、携帯電話端末４０は、切断又は解放信号を受信すると、呼設定処理を中止する。
【０１２５】
ステップＳ２０４の処理が終了すると、図９に示す処理が終了する。なお、その後に、携帯電話端末３０から「編集中」通知メッセージを含む発呼信号が周期的に受信される毎に、ステップＳ２０１〜Ｓ２０４の処理が実行される。従って、携帯電話端末２０の表示装置２Ａには、周期的にユーザＢからの「編集中」メッセージが表示される。従って、ユーザＡは、ユーザＢが応答メールを編集していることを容易に知ることができる。
【０１２６】
一方、メールの送信先であるユーザＢの携帯電話端末３０における処理は、図４Ａに示した処理と同様である。但し、ステップＳ１０５、すなわち「編集中」通知処理の内容が、第１実施形態（図４Ｂ）と異なる。
【０１２７】
図１０は、第２実施形態における「編集中」通知処理、すなわち通知メッセージ送信処理の例を示すフローチャートである。図１０に示す処理が開始されると、編集制御部１５は、応答メールの送信先、すなわち受信メールの送信元のメールアドレスを、着信文字制御部２１に与える。
【０１２８】
着信文字制御部２１は、記憶装置３上の電話帳２２にアクセスし、メールアドレスに対応する電話番号を検索する（ステップＳ２１１）。次に、着信文字制御部２１は、記憶装置３の記憶領域に予め用意されている「編集中」通知のテキストデータ、すなわち通知メッセージのデータを読み出し、電話番号とともに発呼制御部１１に渡す（ステップＳ２１２）。
【０１２９】
ここに、「編集中」通知メッセージは、例えば「応答メール編集中」、「ＸＸ秒応答メール編集中」のような、メール送信者（ユーザＡ）に編集中であることを知らせる内容のテキストメッセージである。テキスト内容は、発呼信号に付加できる制限内であれば、自由に決定することができる。
【０１３０】
呼制御部１１は、電話番号及びメッセージテキストを受け取ると、携帯電話端末４０を呼び出すための発呼信号を生成する。このとき、発呼信号にメッセージテキストを付加する（ステップＳ２１３）。その後、呼制御部１１は、通知メッセージを含む発呼信号を送信する（ステップＳ２１４）。
【０１３１】
発呼信号は、基地局Ｂ１で受信され、ネットワークＮを介して基地局Ｂ２に到達し、最終的に携帯電話端末３０に着信する。このような通知メッセージを含む発呼信号は、周期監視タイマＴが満了する毎に、周期的に携帯電話端末４０へ送信される。
【０１３２】
以上説明したように、第２実施形態では、「編集中」通知メッセージが、発呼信号に付加されて伝達され、当該通知メッセージのテキストが表示装置２Ａに表示される。これによって、メール送信元は、メール送信先が応答メールの編集中であることを知ることができる。また、着信音が鳴ることで、通知メッセージをユーザが参照する契機を提供することができる。着信音の代わりに、バイブレータの振動が適用されることができる。
【０１３３】
なお、第２実施形態では、メール送信先が、「編集中」メッセージのテキストデータをメール送信元に送信する。これに代えて、メール送信先が「編集中」メッセージのテキストを特定するコードを含み、メール送信元が、そのコード又はフラグに基づいて、予めメール送信元で記憶されたメッセージテキストを表示装置２Ａに表示するようにしてもよい
。
【符号の説明】
【０１３４】
Ｂ１，Ｂ２・・・基地局
Ｍ１，Ｍ２・・・メールサーバ
Ｎ・・・ネットワーク
１・・・入力装置
２・・・出力装置
２Ａ・・・表示装置
２Ｂ・・・スピーカ
３・・・記憶装置
４・・・無線部
５・・・プロセッサ
６・・・送受信アンテナ
１０，２０・・・情報処理装置
１１・・・呼制御部
１２・・・無線制御部
１３・・・メール送受信部
１４・・・メール管理部
１５・・・制御部
１６・・・出力制御部
１７・・・入力制御部
１８・・・メールデータベース
１８Ａ・・・受信メールリスト
１８Ｂ・・・送信メールリスト
２１・・・着信文字制御部
２２・・・電話帳
【図１】
2010211587.tif 000003
【図２】
2010211587.tif 000004
【図３Ａ】
2010211587.tif 000005
【図３Ｂ】
2010211587.tif 000006
【図３Ｃ】
2010211587.tif 000007
【図３Ｄ】
2010211587.tif 000008
【図３Ｅ】
2010211587.tif 000009
【図４Ａ】
2010211587.tif 000010
【図４Ｂ】
2010211587.tif 000011
【図４Ｃ】
2010211587.tif 000012
【図５】
2010211587.tif 000013
【図６】
2010211587.tif 000014
【図７】
2010211587.tif 000015
【図８】
2010211587.tif 000016
【図９】
2010211587.tif 000017
【図１０】
2010211587.tif 000018